(57)【要約】【課題】消防における救急活動や病院等での洗浄・消毒作業に適する作業性に優れたウェットワイパーの調製取り出し装置を提供する。【解決手段】液体収容容器と蓋とからなり、蓋が未湿潤布を該容器内に導入するための開口部と該開口部と連通しているスリット部を有することを特徴とするウェットワイパー調製取り出し装置。【選択図】図１
2006182431.tif 000002
【特許請求の範囲】
【請求項１】
液体収容容器と蓋とからなり、蓋が未湿潤布を該容器内に導入するための開口部と該開口部と連通しているスリット部を有することを特徴とするウェットワイパー調製取り出し装置。
【請求項２】
該蓋が内蓋であり、外蓋が密閉用蓋である請求項１記載の装置。
【請求項３】
該液体が電解水である請求項１又は２記載の装置。
【発明の詳細な説明】
【技術分野】
【０００１】
本発明はウェットワイパーを必要に応じ調製し取り出すための装置に関し、特に消防における救急活動や病院等での洗浄や消毒作業でウェットワイパーをその場で調製するに適する装置に関する。
【背景技術】
【０００２】
従来、消防における救急活動で救急車に装備した各種備品の洗浄や消毒作業では、雑巾やタオル等を水や各種洗浄ないし消毒溶液に含浸させて使用されている。この場合、シンクやバケツ等が無い状況においては周辺を濡らしてしまうため、水や溶液等が含浸した雑巾やタオル等を絞ることができない。また、絞るという行程には両手を必要とするため、作業者には少なからず負担となる。さらに、汚染物を拭き取った後の雑巾やタオル等を洗浄することは、作業者にとって衛生的とは言い難い。
【０００３】
また予め溶液が含浸されたウェットティッシュも状況に応じて使用されている。ウェットティッシュについては一般消費者の使用を前提としたポケットサイズのものを含め多くの提案がある。ウェットティッシュ容器に関する公知例としては、特許文献１、特許文献２、特許文献３、特許文献４などがある。ウェットティッシュは既に溶液を含浸したティッシュを用いて洗浄や除菌を行うため、絞るという行程は存在せず、容器内から片手でウェットティッシュを取り出して使用することができるという利便性がある。しかし、除菌や洗浄を行う際には、それぞれの用途に応じた専用のウェットティッシュを用意する必要がある。
【０００４】
また近年電解水（特に強酸性電解水）を用いる洗浄や消毒も注目されており、これを用いたウェットティッシュも提案されている（特許文献５、特許文献６、特許文献７）。電解水は劣化しやすく、一般的なウェットティッシュのように、電解水を予めティッシュに含浸させた状態で容器に入れ使用すると、使用当初の除菌性能等が徐々に劣化し、すぐに性能が損なわれてしまう。また電解水を含浸させるティッシュの種類によっては、そこに含まれる成分（バインダー）が電解水の劣化を促進する。特許文献６及び特許文献７は、その点の改善を図っているが、複雑な構造であり、経済性及び実用性が小さいものである。
【０００５】
【特許文献１】特開平７−２０６０５５号公報
【特許文献２】特開平８−１０４３７７号公報
【特許文献３】特開平９−２２１１７９号公報
【特許文献４】特開２００３−１０４４６５号公報
【特許文献５】特開平５−５１９９０号公報
【特許文献６】実用新案登録第３０４３１５３号公報
【特許文献７】実用新案登録第３０４３２１４号公報
【発明の開示】
【発明が解決しようとする課題】
【０００６】
本発明の目的は上記した従来技術の問題点を解決することにあり、特に消防における救急活動や病院等での洗浄・消毒作業に適する作業性に優れたウェットワイパーを提供することにある。
【課題を解決するための手段】
【０００７】
本発明は、液体収容容器と蓋とからなり、蓋が未湿潤布を該容器内に導入するための開口部と該開口部と連通しているスリット部を有することを特徴とするウェットワイパー調製取り出し装置である。
【０００８】
好ましい態様において、本発明のウェットワイパー調製取り出し装置は、上記の蓋が内蓋であり、その外側に密閉用の外蓋をもつ。
【０００９】
また好ましい態様において、本発明のウェットワイパー調製取り出し装置は、上記の液体として電解水を用いる。
【発明の効果】
【００１０】
本発明の装置は、水等の洗浄・消毒用液体の出し入れが容易で、容器の蓋に設けた開口部から、不織布等のワイパー用布を浸すことができ、浸した布を開口部と連通して設けたスリットに通し、引き抜くことで適度な湿り具合のウェットワイパーを容易に得ることができる。これらの作業を片手で容易に行うことができると共に、液体として、水、アルコール、電解水等適宜の液体を用いうることができ、特に電解水を用いる場合には、その劣化を抑えることができるという大きな利点を有する。
【発明を実施するための最良の形態】
【００１１】
本発明の装置は、未湿潤布即ち乾燥状態にある布、好ましくは不織布を、洗浄や消毒を行う際に現場で湿潤させて絞ってウェットワイパーを得る装置である。液体を入れる容器本体と蓋、好ましくは外蓋と内蓋から構成される。
【００１２】
蓋（内蓋と外蓋を用いる場合には内蓋）に、容器本体内に使用目的に合った液体を導入すると共に、湿潤前の布を導入する開口部と、この開口部に連通して設けた布を絞り出すためのスリットが設けてある。
【００１３】
開口部はそこから容器本体内部に布が挿入できる大きさになっており、スリット部は布が適度な含浸量になるような隙間に設計されている。開口部より容器本体内部に布を挿入することで、布に容器本体内部に充填してある液体が含浸され飽和状態となる。その状態の布をスリット部に通し、容器本体外側に引き抜くことで布を適度な含浸量にすることが可能となる。この動作で絞るという動作を行うため、一定の液体を不織布に含浸することができる。
【００１４】
本発明において布とは一般にウェットワイパーとして用いられている布状物全体を包含し、具体的には、綿や麻等のセルロースや再生セルロースや合成繊維等からなる不織布や織布（ガーゼ類）が包含される。
【００１５】
容器本体、内蓋、外蓋は通常ポリエチレン、ポリプロピレン、ポリエステル等の可撓性合成樹脂でつくられる。
【００１６】
容器本体内に収容する液体としては、水、エタノール等のアルコール、含水アルコール、洗剤や薬品の水溶液、トリクレン等の有機溶剤、強酸性電解水や強アルカリ性電解水といった電解水等適宜の液体を使用目的に応じて収容しうるが、電解水が最も適している。現場で乾燥状態にある布と接触するためそれ以前に劣化することがなく、また劣化した場合も、開口部を介して新規電解水と容易に交換することができる。使用する直前に生成直後の電解水を充填することで、十分な洗浄・消毒性能を維持したウェットワイパーを得ることができる。また用いる液体の入れ替えができるため、同一装置を種々の液体に適用可能である。
【００１７】
また密閉用外蓋を用いた場合には、液体を充填した状態で持ち運び可能となる。密閉により外部の空気と液体との接触を抑制することで、電解水を用いる場合でも劣化を最小限に抑制することができる。
【００１８】
本発明の装置は、それを用いて調製取り出したウェットワイパーは使い捨てを前提としており、汚染物が付着した布を洗浄することがないため衛生的である。
【００１９】
次に本発明の装置を図面を用いて説明する。
【００２０】
図１〜３は本発明の装置の一例の構成と組み合わせ状態を示す斜視図であり、図４及び図５は内蓋の一例を示す平面図である。
【００２１】
本発明の好ましい装置は容器本体１、内蓋２、外蓋３から構成される。容器本体１の大きさはφ１００〜φ１５０ｍｍ程度、高さ９０〜１２０ｍｍ程度が適している。この寸法は車両等への積載性や実使用時の持ちやすさ等を考慮し設計されている。
【００２２】
内蓋２は使用の際、容器本体１に、はめ込まれている構造になっている。内蓋２は接着剤等で容器本体１に固定されていることが望ましいが、容器本体１にある程度の強度ではめ込まれていれば、必ずしも接着していなくともよい。内蓋２には図４に示すように、溶液の充填及び布に液体を含浸させるための開口部４、布を絞るためのスリット５が設けてある。開口部４は布を容器本体１内に挿入できる構造となっている。形状等は任意だが、一例としては、φ１００〜φ１５０ｍｍ程度の半円形状が望ましい。また、スリット５は幅０（切込みのみ）〜１ｍｍ程度、長さ３０〜５０ｍｍ程度であれば布に液体が適度に含浸した状態を提供できる。但し、開口部４の上部の大きさは容器本体１の大きさがφ１００〜φ１５０ｍｍ程度の場合の例であり、スリット長を３０〜５０ｍｍ程度確保できれば、図５に示すように３００度程度の開口部を形成しても布を絞ることは可能である。そのため、開口部４とスリット部５の関係（比率）さえ保持すれば、容器を大きくすることも可能である。また、容器を大きくすることで雑巾等を絞ることが可能となる。また、スリット５の末端部を１〜２ｍｍの円形形状６にしておけば、布を引き抜く際に裂けてしまうことを十分に防止できる。
【００２３】
外蓋３は通常容器本体１とねじで接続される。外蓋３の気密性を高めることで、容器本体１内の液体が外に漏れ出るのを防止できる。また、外蓋３を装着することで溶液と空気との接触を極力低減することが可能となり、液体の劣化を軽減することができる。
【００２４】
容器本体１及び外蓋３の材質には、溶液の使用に耐え得るようポリエチレン等の可撓性熱可塑性樹脂を使用することが望ましい。また容器本体１に透明や半透明の容器を使用することで溶液の残量を目視で確認することが可能となる。光による溶液の劣化を抑えるため、黒色の遮光された容器を使用することも望ましい。
【００２５】
内蓋２には液体に耐え得る材質に加え、弾性力のある材質を使用することが望ましい。
【００２６】
本発明の装置の使用行程を以下に示す。
【００２７】
容器本体１内に内蓋２に設けられた開口部４から溶液を入れる。布を開口部４から容器本体１内に挿入する。挿入した布が液体を含浸し、飽和状態となる。その状態の布をスリット部５に通し、容器本体１の外側に引き抜くことで、適度な含浸量に調整された布が得られる。布を内蓋２のスリット部５に通すことは片手で行うことが可能であるため、従来のように絞るという動作に両手を使用する必要はない。そのため、作業者への負担を軽減することが可能となる。
【００２８】
絞り取られた液体は容器本体１内に戻るため、容器外部を濡らすことがない。
【００２９】
本開発の装置を使用した洗浄作業を行う場合、拭き取った布は捨てることを前提としており、汚染物が付着した布を洗浄することが無いため衛生的である。
【００３０】
液体として電解水を用いる時は、除菌目的であれば強酸性電解水を、洗浄目的であれば強アルカリ性電解水を使用することが望ましい。強酸性電解水にはｐＨ２．２〜２．７程度、酸化還元電位（ＯＲＰ）＋１１００ｍＶ以上、残留塩素濃度１０ｐｐｍ〜６０ｐｐｍ程度を用い、強アルカリ性電解水にはｐＨ１０．５〜１２．０程度を使用することが望ましい。また、使用中容器本体１内の液量が少なくなった場合や、長期保管で容器本体１内の液体が劣化してしまった際には、開口部４から液体の入れ替えが可能である。また、液体の種類を変更する際にも、開口部４から行うことが可能である。
【００３１】
容器本体１内に入れる液体の量は布を挿入した際に、容器本体１内から液体がこぼれないよう、最大容積の７割程度にすることが望ましい。
【００３２】
本開発品に使用する布は吸水性に優れ、不織布の場合バインダー（接着剤）等を含まないものが適している。これは不織布に含まれるバインダーの溶出や不純物の析出が電解水等を劣化させてしまうことに起因している。また、電解水が含浸された状態においてもある程度の引張り強度を保つことができる不織布であると引き抜き動作が行いやすい。また、布としては局方ガーゼ等の使用も可能である。
【図面の簡単な説明】
【００３３】
【図１】本発明の装置の構成を示す斜視図。
【図２】内蓋をつけた状態の本発明の装置を示す斜視図。
【図３】全体を組み合わせた状態の本発明の装置を示す斜視図。
【図４】内蓋の一例を示す平面図。
【図５】内蓋の別の一例を示す平面図。
【符号の説明】
【００３４】
１    容器本体
２    内蓋
３    外蓋
４    開口部
５    スリット
６    円形末端
【図１】
2006182431.tif 000003
【図２】
2006182431.tif 000004
【図３】
2006182431.tif 000005
【図４】
2006182431.tif 000006
【図５】
2006182431.tif 000007